(57)【要約】  電磁波シールドファスナー用スライダーとして好適に使用できる、頭合わせ型の隠しスライドファスナーを提供する。当該スライドファスナーの一対のスライダー（１０、５０、６０、７０）はそれぞれ電磁波シールド特性を有しており、前記一対のスライダーは肩口側同士が対向するようにファスナーストリンガーに取り付けられ、一方のスライダーの下翼板（１３）の前端面（１３ｃ）は、他方のスライダーの下翼板の前端面に密接可能な形状に形成されている。
2012070136.tif 000002
【特許請求の範囲】
【請求項１】
電磁波シールド特性を有し、一側縁に屈曲部（４３）を有するファスナーテープ（４２）と、当該屈曲部（４３）に沿って取着されたファスナーエレメント（４１）とを有する一対のファスナーストリンガーと、
前記一対のファスナーストリンガーに摺動自在に取り付けられ、各ファスナーエレメント（４１）を係脱するための一対のスライダー（１０、５０、６０、７０）とを備えた隠しスライドファスナーであり、
当該一対のスライダー（１０、５０、６０、７０）はそれぞれ電磁波シールド特性を有しており、
下翼板（１３）と、
該下翼板（１３）の左右方向の側縁に沿って立設された左右の側壁（１４ａ、１４ｂ）と、
該左右の側壁（１４ａ、１４ｂ）の上端から互いに接近する方向に延設された左右の第１フランジ（１５ａ、１５ｂ）と、
前記下翼板（１３）の前記左右の第１フランジ（１５ａ、１５ｂ）間に配置された案内柱（２１）と、
該案内柱（２１）に設けられ少なくとも後口に向けて張り出した第２フランジ（２２ａ）と、
該下翼板（１３）と、左右の該側壁（１４ａ）と該第１フランジ（１５ａ、１５ｂ）に囲まれたファスナーエレメト（４１）を案内するエレメント案内通路（１７）と、
前記第１フランジ（１５ａ、１５ｂ）及び前記第２フランジ（２２ａ）間に、ファスナーテープ（４２）の一部が該エレメント案内通路（１７）から外側に延出可能な隙間Ｓと、
を備え、
前記一対のスライダーは肩口側同士が対向するようにファスナーストリンガーに取り付けられ、
一方のスライダーの下翼板（１３）の前端面（１３ｃ）は、他方のスライダーの下翼板の前端面に密接可能な形状に形成されている隠しスライドファスナー。
【請求項２】
一方のスライダーの下翼板（１３）の前端面（１３ｃ）は、前記左右の第１フランジ間（１５ａ、１５ｂ）において他方のスライダーの下翼板の前端面と密接可能である請求項１に記載の隠しスライドファスナー。
【請求項３】
一方のスライダーの下翼板（１３）の前端面（１３ｃ）は、他方のスライダーの下翼板の前端面と同一形状を有しており、左右の形状が相殺関係にある請求項１又は２に記載の隠しスライドファスナー。
【請求項４】
一方のスライダーの下翼板（１３）の前端面（１３ｃ）は、他方のスライダーの下翼板の前端面と密接したときに上下方向に重なりが生じるように、凹凸形状を有する請求項１〜３の何れか一項に記載の隠しスライドファスナー。
【請求項５】
各スライダーの下翼板（１３）の前端面（１３ｃ）は、左半分及び右半分の何れか一方に亘って前方に凸設された係止板（３１、６１ａ、６１ｂ、７１）と、左半分及び右半分の他方に亘って後方に凹設され、前記係止板（３１、６１ａ、６１ｂ、７１）の形状に合致した受容部（３２、６２ａ、６２ｂ、７２）とを少なくとも一対有する請求項１〜４の何れか一項に記載の隠しスライドファスナー。
【請求項６】
各スライダーの前記係止板（３１、６１ａ、６１ｂ、７１）は下翼板（１３）よりも薄く、前記係止板（３１、６１ａ、６１ｂ、７１）の上面は下翼板（１３）の上面よりも低い位置にあり、前記係止板（３１、６１ａ、６１ｂ、７１）の下面は下翼板（１３）の下面よりも高い位置にあり、前記受容部（３２、６２ａ、６２ｂ、７２）は前記係止板（３１、６１ａ、６１ｂ、７１）の形状に合致した溝状となっている請求項５に記載の隠しスライドファスナー。
【請求項７】
各スライダーの前記下翼板（１３）の前端面（１３ｃ）は、左右の側壁（１４a、１４ｂ）の前端部（１４ｃ、１４ｄ）と同一面上にある基面（１３ｄ）を備えており、前記基面（１３ｄ）から前記係止板（３１、６１ａ、６１ｂ、７１）及び前記受容部（３２、６２ａ、６２ｂ、７２）が形成されている請求項５に記載の隠しスライドファスナー。
【請求項８】
一方のスライダーの前記左右の側壁（１４ａ、１４ｂ）の前端部（１４ｃ、１４ｄ）は、他方のスライダーの対応する側壁のそれぞれの前端部と密接可能な形状に形成されている請求項１〜７の何れか一項に記載の隠しスライドファスナー。
【請求項９】
各スライダーの下翼板（１３）の前端面（１３ｃ）は、前記係止板（３１、６１ａ、６１ｂ、７１）及び受容部（３２、６２ａ、６２ｂ、７２）の境界を規定する基面（１３ｄ）を有しており、当該基面（１３ｄ）は、側壁の前端部（１４ｃ、１４ｄ）、第１フランジ（１５ａ、１５ｂ）の前端面及び第２フランジ（２２ａ）の前端面の内で最も前方に突出している箇所と同位置かそれよりも前方側に突出している請求項５に記載の隠しスライドファスナー。
【請求項１０】
スライダー（１０、５０、６０、７０）は前記下翼板（１３）、前記左右の側壁（１４ａ、１４ｂ）、及び前記左右の第１フランジ（１５ａ、１５ｂ）を有するスライダー胴部（１１）と、前記第２フランジ（２２ａ）を有し、当該スライダー胴部（１１）に係合されるスライダー上板部（１２）との少なくとも２部品で構成されており、前記案内柱（２１）は前記スライダー胴部（１１）及び前記スライダー上板部（１２）の何れかに設けられる請求項１〜９の何れか一項に記載の隠しスライドファスナー。
【発明の詳細な説明】
【技術分野】
【０００１】
本発明は、隠しスライドファスナーに関し、とりわけ電磁波シールド製品に使用される隠しスライドファスナーに関する。
【背景技術】
【０００２】
近年の情報技術産業の普及に伴って、電子機器を電磁波障害から保護するニーズが増大している。この目的のために、電磁波を遮断することの出来る電磁波シールドシートや電磁波シールドチューブなど電磁波シールド製品が多用されており、製品中に存在する継ぎ目の連結や開閉部分の操作をスライドファスナーで行うこともある。【０００３】
電磁波を遮断することの出来るスライドファスナー、いわゆる電磁波シールドスライドファスナーに関連した技術としては、ＷＯ２００９／０９３６７８号（特許文献１）がある。特許文献１には、スライドファスナーで電磁波シールド材同士を連結した場合に、連結部における電磁波シールド性能の信頼性が不十分であるとして、該連結部の電磁波シールド性能向上を目的とした隠しスライドファスナーを開示している。隠しスライドファスナーではスライドファスナーの閉鎖時に、スライダーの本体が外部に表出しない。当該文献には、一方及び他方のファスナーテープの一側側中途部を直接圧接し、ファスナーエレメントを介さずに挟持することで、ファスナーエレメントの形状等に起因した電磁波シールド性能の劣化を防止できることが記載されている。
【先行技術文献】
【特許文献】
【０００４】
【特許文献１】ＷＯ２００９／０９３６７８号
【発明の概要】
【発明が解決しようとする課題】
【０００５】
特許文献１は電磁波シールド製品用の隠しスライドファスナーに関し、ファスナー閉鎖後のエレメト噛合間における電磁波シールド遮断性について記載されているが、スライダーの肩口側にできるファスナーテープとスライダーとの隙間に対する電磁波対策については一切記載されていない。【０００６】
そこで、本発明は、電磁波を遮断する特性を有する隠しスライドファスナーであって、スライダーの肩口側にできるファスナーテープとスライダーとの隙間に対する電磁波対策が施された隠しスライドファスナーを提供することを目的の一つとする。
【課題を解決するための手段】
【０００７】
ファスナーチェンに二つスライダーを肩口側が対向するように取り付けたスライドファスナー、いわゆる頭合わせ型スライドファスナーでは、二つのスライダーの肩口側端部同士が当接しているときにファスナーが閉じた状態となる。従来の頭合わせ型スライダーでは電磁波シールド製品への適用を考慮したものではなく、二つのスライダーの同士が当接しているときに、肩口側端部間に隙間が生じており、電磁波が漏洩するという問題があることを見出した。そして、電磁波は直線状の隙間を通り抜けやすいために、僅かな隙間であっても電磁波シールド製品の性能を低下させる原因になること、及び、この隙間を無くすことが電磁波シールド製品の信頼性向上に寄与することを見出した。更に、同一形状のスライダーを頭合わせすることによって、部品点数を減らすことができ、在庫管理が容易となる。本発明は以上の知見を基礎として完成したものであり、以下によって特定される。【０００８】
本発明は一側面において、電磁波シールド特性を有し、一側縁に屈曲部を有するファスナーテープと、当該屈曲部に沿って取着されたファスナーエレメントとを有する一対のファスナーストリンガーと、前記一対のファスナーストリンガーに摺動自在に取り付けられ、各ファスナーエレメントを係脱するための一対のスライダーとを備えた隠しスライドファスナーであり、当該一対のスライダーはそれぞれ電磁波シールド特性を有しており、下翼板と、該下翼板の左右方向の側縁に沿って立設された左右の側壁と、該左右の側壁の上端から互いに接近する方向に延設された左右の第１フランジと、前記下翼板の前記左右の第１フランジ間に配置された案内柱と、該案内柱に設けられ少なくとも後口に向けて張り出した第２フランジと、該下翼板と、左右の該側壁と該第１フランジに囲まれたファスナーエレメトを案内するエレメント案内通路と、前記第１フランジ及び前記第２フランジ間に、ファスナーテープの一部が該エレメント案内通路から外側に延出可能な隙間Ｓと、を備え、前記一対のスライダーは肩口側同士が対向するようにファスナーストリンガーに取り付けられ、一方のスライダーの下翼板の前端面は、他方のスライダーの下翼板の前端面に密接可能な形状に形成されている隠しスライドファスナーである。【０００９】
本発明に係る隠しスライドファスナーの一実施形態においては、一方のスライダーの下翼板の前端面は、前記左右の第１フランジ間において他方のスライダーの下翼板の前端面と密接可能である。【００１０】
本発明に係る隠しスライドファスナーの別の一実施形態においては、一方のスライダーの下翼板の前端面は、他方のスライダーの下翼板の前端面と同一形状を有しており、左右の形状が相殺関係にある。【００１１】
本発明に係る隠しスライドファスナーの更に別の一実施形態においては、一方のスライダーの下翼板の前端面は、他方のスライダーの下翼板の前端面と密接したときに上下方向に重なりが生じるように、凹凸形状を有する。【００１２】
本発明に係る隠しスライドファスナーの更に別の一実施形態においては、各スライダーの下翼板の前端面は、左半分及び右半分の何れか一方に亘って前方に凸設された係止板と、左半分及び右半分の他方に亘って後方に凹設され、前記係止板の形状に合致した受容部とを少なくとも一対有する。【００１３】
本発明に係る隠しスライドファスナーの更に別の一実施形態においては、各スライダーの前記係止板は下翼板よりも薄く、前記係止板の上面は下翼板の上面よりも低い位置にあり、前記係止板の下面は下翼板の下面よりも高い位置にあり、前記受容部は前記係止板の形状に合致した溝状となっている。【００１４】
本発明に係る隠しスライドファスナーの更に別の一実施形態においては、各スライダーの前記下翼板の前端面は、左右の側壁の前端部と同一面上にある基面を備えており、前記基面から前記係止板及び前記受容部が形成されている。【００１５】
本発明に係る隠しスライドファスナーの更に別の一実施形態においては、一方のスライダーの前記左右の側壁の前端部は、他方のスライダーの対応する側壁のそれぞれの前端部と密接可能な形状に形成されている。【００１６】
本発明に係る隠しスライドファスナーの更に別の一実施形態においては、各スライダーの下翼板の前端面は、前記係止板及び受容部の境界を規定する基面を有しており、当該基面は、側壁の前端部、第１フランジの前端面及び第２フランジの前端面の内で最も前方に突出している箇所と同位置かそれよりも前方側に突出している。【００１７】
本発明に係る隠しスライドファスナーの更に別の一実施形態においては、スライダーは前記下翼板、前記左右の側壁、及び前記左右の第１フランジを有するスライダー胴部と、前記第２フランジを有し、当該スライダー胴部に係合されるスライダー上板部との少なくとも２部品で構成されており、前記案内柱は前記スライダー胴部及び前記スライダー上板部の何れかに設けられる。
【発明の効果】
【００１８】
本発明に係るスライダーを頭合わせ型ファスナーに使用することで、ファスナーを閉鎖したときに二つのスライダーの下翼板の前端面同士が密接するため、電磁波の通路を遮断することができる。そのため、スライダー同士の隙間から電磁波が漏洩することを抑制することができるようになる。【００１９】
下翼板の前端面は左右の形状が相殺関係にある実態形態によれば、同一のスライダーを使用して頭合わせ型スライドファスナーを製造することができるようになるので、部品点数を減らすことができ、在庫管理も容易となる。【００２０】
特に、前記下翼板の前端面が、相手方スライダーの下翼板の前端面と密接したときに、上下方向に重なりが生じる凹凸形状を有する実施形態によれば、ファスナーを閉鎖したときに二つのスライダーの前端面がぴったり当接せずに両者に隙間が生じても、当該重なり部分が隙間を埋めて電磁波の通路を遮断することができるという効果が得られる。【００２１】
更に、前記下翼板の前端面は一対の係止板及び受容部を有し、前記係止板は下翼板よりも薄く、前記係止板の上面は下翼板の上面よりも低い位置にあり、前記係止板の下面は下翼板の下面よりも高い位置にあり、前記受容部は前記係止板の形状に合致した溝状となっている実施形態によれば、二つのスライダーの下翼板の前端面同士が密接しているときに前後方向や左右方向を軸とした捻りに対する抵抗力が高くなるので、電磁波シールド製品に捻りなどの作用が加わったときでもスライダー間に隙間が生じにくく、電磁波遮蔽効果が維持できるという効果が得られる。
【図面の簡単な説明】
【００２２】
【図１】本発明の第１実施形態に係る電磁波シールドファスナー用スライダーの斜視図である。
【図２】本発明の第１実施形態に係る電磁波シールドファスナー用スライダーの分解斜視図である。
【図３】本発明の第１実施形態に係る電磁波シールドファスナー用スライダーを左右の中心線で切断したときの断面図である。
【図４】本発明の第１実施形態に係る電磁波シールドファスナー用スライダーを備えた頭合わせ型隠しスライドファスナーにおいて、ファスナーが一部開いている状態を上から見た図である。
【図５】本発明の第１実施形態に係る電磁波シールドファスナー用スライダーを備えた頭合わせ型隠しスライドファスナーにおいて、ファスナーが完全に閉じている状態を上から見た図である。
【図６】本発明の第１実施形態に係る電磁波シールドファスナー用スライダーを備えた頭合わせ型隠しスライドファスナーにおいて、ファスナーが完全に閉じている状態を下から見た図である。
【図７】図６のＡ−Ａ’線断面図である。
【図８】図６のＢ−Ｂ’線断面図である。
【図９】本発明の第２実施形態に係る電磁波シールドファスナー用スライダーの斜視図である。
【図１０】本発明の第３実施形態に係る電磁波シールドファスナー用スライダーの斜視図である。
【図１１】本発明の第４実施形態に係る電磁波シールドファスナー用スライダーの斜視図である。
【図１２】本発明の第４実施形態に係る電磁波シールドファスナー用スライダーについて、向かい合う二つのスライダーが頭合わせで密接する様子を示す図である。
【発明を実施するための形態】
【００２３】
以下、本発明の実施の形態について、図面を参照しながら詳細に説明する。
【００２４】
本発明に係る隠しスライドファスナーでは、電磁波シールド特性を有するファスナーテープが使用される。電磁波を遮断する特性を有する材料は公知であり特に制限はないが、例えば、金、銀、銅、アルミニウム、タングステン、ニッケル、亜鉛、鉄又はこれらの一種以上を含有する合金などの金属を代表とする導電性材料が挙げられる。導電性材料は、線状にして織／編込むことでシート状にしたり、薄箔状にしてファスナーテープに貼り合わせたりして使用される。ポリエステル繊維等にめっき処理あるいは導電性素材の線を撒きつけることによって得られる繊維を織／編込むことで使用される。導電性材料として金属を使用する場合には、例えば金属箔の形態で提供することができ、金属繊維や金属線を織成又は編成してシート状にして提供することもできる。これらに樹脂などの他の材料を貼り合わせた積層体として提供することもできる。また、金属繊維や金属線の代わりにポリエチレン、ポリプロピレン、ポリエステル、アラミド、アクリルなどの樹脂製やガラス製の繊維を上記のような金属でめっきしたり、導電性素材の線を巻き付けることによって得られる導電性繊維を使用することもできる。
【００２５】
本発明に係る電磁波シールドファスナーは種々の電磁波シールド製品の連結部や開閉部に取り付けることができる。電磁波シールド製品としては、電磁波による影響を受けやすい物品を電磁波から遮断するために使用したり、あるいは、電子機器から発生する電磁波を外部へ漏洩しないようにするために使用され、限定的ではないが、電磁波シールドシート、電磁波シールドルーム、電磁波シールドチューブなどが挙げられる。
【００２６】
本発明は隠しスライドファスナーに関する。隠しスライドファスナー自体は公知であり、ＷＯ２００９／０９３６７８号（特許文献１）に記載のように、ファスナーテープの一側縁が略Ｕ字状に屈曲されて屈曲部を形成し、該屈曲部に沿ってファスナーエレメントが取着された一対のファスナーストリンガーの各ファスナーエレメントがスライダーの摺動によって係脱されることによって、ファスナーの開閉が達成される。後述する本実施形態では、ファスナーテープに取り付けられるファスナーエレメントは、ファスナーテープの側縁に沿って合成樹脂を射出して複数のファスナーエレメントを成形したスライドファスナーチェンについて記載されているが、当該実施形態に特に限定されない。ファスナーテープへのファスナーエレメントの取り付けは、例えばコイル状あるいはジグザク状に形成された線状エレメントを、エレメント取り付け縁部に沿って縫製して取着されているファスナーチェンであっても良い。
【００２７】
本発明で適用可能なファスナーストリンガーの構成は特に限定するわけではないが、国際出願ＰＣＴ／ＪＰ２００９／０５９５８６号に開示されている隠しスライドファスナー用ファスナーストリンガーを好適に利用することができる。具体的には、当該ファスナーストリンガーは、テープ主体部及び同テープ主体部の一側縁に配されたエレメント取付部を有する左右一対のファスナーテープを有し、当該ファスナーテープを構成する主要な構成糸条には導電糸が使用され、同ファスナーテープが電磁波シールド可能な導電性を有する。そして、一対のファスナーテープは、前記エレメント列が噛合したときに、相手側のファスナーテープと互いに密着する導電性のテープ密着部を有し、噛合状態にあるエレメント列は、テープ密着部の密着時に、少なくとも一方の前記ファスナーテープに配されたテープ密着部により覆われてなる。
なお本説明をもって本発明にＰＣＴ／ＪＰ２００９／０５９５８６号の内容は参照によって組み込まれる。
【００２８】
本発明に係るスライドファスナーに使用するスライダーは電磁波をシールド可能な導電性を有する。
そのようなスライダーは導電性を有する金属や合成樹脂を使用してダイキャスト成形や射出成形することによって製造することができる。導電性を有する金属としては、ファスナーテープと同様に金、銀、同、アルミニウム、タングステン、ニッケル、亜鉛、鉄又はこれらの一種以上を含有する金属が挙げられ、導電性を有する合成樹脂としては、トリアセチレン、ポリピロール、ポリチオフェン又はポリアニン等のようなものが挙げられる。また樹脂などの他の材料を使用してスライダーを成形した後に、上記金属でめっきすることも可能である。後述するように、複雑な形状のスライダーは複数の部品から組み立ててもよい。
【００２９】
ファスナーエレメントについても、同様に電磁波シールド特性を有する素材を使用しても良い。しかしながら、隠しスライドファスナーではファスナーテープの一側縁が屈曲されており、ファスナーが閉鎖しているときは、一対のファスナーテープの当該屈曲部同士がファスナーエレメントを介さずに直接圧接されるため、ファスナーテープが電磁波シールド特性を有している限り、ファスナーエレメントが電磁波シールド特性を有していなくてもほとんど支障はない。
【００３０】
本明細書のスライダーにおいては、スライダーの摺動方向を前後方向とし、スライダーがエレメント列を噛合させるように摺動する向きを前方とし、エレメント列を分離させるように摺動する向きを後方とする。スライダーの前方端部がスライダーの頭部である。また、上下翼板に直交する方向を上下方向とし、下翼板から上翼板（第１フランジ）に向かう方向を上方、上翼板から下翼板に向かう方向を下方とする。また、上下翼板に平行で、スライダー摺動方向に直交する方向を左右方向とし、スライダーを上方から見て前方に摺動させたときにスライダーの進行方向右側を右方向とし、進行方向左側を左方向として定義する。また、スライダーにおいて、ファスナーエレメントが分離して出てくる前方の開口を肩口といい、その反対側であってファスナーエレメントが噛合して出てくる後方の開口を後口という。
【００３１】
＜第１実施形態＞
本発明の第１実施形態に係る電磁波シールドファスナー用スライダー（１０）について説明する。図１は、本実施形態に係るスライダー（１０）の斜視図である。図１を参照すると、本実施形態に係るスライダー（１０）は基本構造として、下翼板（１３）と、該下翼板（１３）の左右方向の側縁に沿って立設された左右の側壁（１４ａ、１４ｂ）と、該左右の側壁（１４ａ、１４ｂ）の上端から互いに接近する方向に延設された左右の第１フランジ（１５ａ、１５ｂ）と、前記下翼板（１３）の肩口寄り左右中央部から後口に向けて前記左右の第１フランジ（１５ａ、１５ｂ）間に配置された案内柱（２１）と、該案内柱（２１）の上面に設けられ、少なくとも前記左右の第１フランジ（１５ａ、１５ｂ）及び前記後口に向けて張り出した第２フランジ（２２ａ）と、引手（２５）を支持するための片持ち状の引手取付部（２３）とを備える。なお、本発明においては第１フランジを上翼板とも表現している。
【００３２】
下翼板（１３）と、左右の側壁（１４ａ、１４ｂ）と、案内柱（２１）と、第１フランジ（１５ａ、１５ｂ）と、第２フランジ（２２ａ）とにより形成される平面視で略Ｙ字状の空間が、ファスナーストリンガーに取り付けられたファスナーエレメントを通すエレメント案内通路（１７）となる。
【００３３】
ファスナーエレメントの噛合頭部（４５）を向かい合わせた状態の一対のファスナーストリンガーを、スライダー（１０）の肩口から挿入し、スライダー（１０）を前方に移動させることにより、左右のファスナーエレメントが噛合した状態（閉鎖状態）でスライダー（１０）の後口から引き出される。ファスナーテープの折返し部分は第１フランジ（１５ａ、１５ｂ）及び第２フランジ（２２ａ）間の隙間Ｓから外側に延出する。
【００３４】
下翼板（１３）は略台形板状であり、左右方向の幅は、肩口側の前端縁（１３ａ）から全長の略３／４の位置まで漸次縮幅された後、後口側の後端縁（１３ｂ）まで略同一となっている。また、下翼板（１３）の上面は、第１フランジ（１５ａ、１５ｂ）の下面と平行に形成されている。これにより、肩口からスライダー（１０）のエレメント案内通路（１７）に挿入された相対するファスナーエレメント同士は、スライダー（１０）の摺動に伴ってスムーズに噛合されるようになる。
【００３５】
第１フランジ（１５ａ、１５ｂ）は、その上面内側の稜部がＲ面取りされている。また、第１フランジ（１５ａ、１５ｂ）は、肩口側先端の内側角部がＲ面取りされて湾曲部（１５ｄ）が形成されている。これにより、ファスナーエレメントをエレメント案内通路（１７）へスムーズに引き込むことが可能となっている。これは、スライダー（１０）の摺動抵抗低減にも寄与する。また、第１フランジ（１５ａ、１５ｂ）の肩口側の上面には、肉盛りされた肉厚部（１５ｅ）が形成されている。その結果、肉厚部（１５ｅ）に接触したときのファスナーテープに作用する接触圧は、肉厚部（１５ｅ）の厚さが大きい（即ち、接触面積が大きい）ことによって接触圧が低くなり、スライダー（１０）の摺動抵抗が低減すると共に、ファスナーテープの裂断などが防止される。
【００３６】
案内柱（２１）は、肩口側が底辺となる略二等辺三角柱の形状に形成されている。案内柱（２１）の上には、左右の第１フランジ（１５ａ、１５ｂ）及び後口に向けて張り出した、肩口側が底辺となる略二等辺三角形の形状の第２フランジ（２２ａ）が設けられている。第２フランジ（２２ａ）の左右の側面と第１フランジ（１５ａ、１５ｂ）の内側面とは略平行であり、両者間には略一定間隔の隙間Ｓが形成されており、ファスナーテープはこの隙間Ｓから延出する。
【００３７】
第２フランジ（２２ａ）の肩口側の上面には、先述した第１フランジ（１５ａ、１５ｂ）の肩口側の上面に形成された肉厚部（１５ｅ）よりも更に厚みのある、肉厚部（２２ｂ）が形成されている。肉厚部（２２ｂ）の厚みは第２フランジ（２２ａ）の肩口側先端まで維持されており、第２フランジ（２２ａ）の肩口側の端面（２７）は、案内柱（２１）から上方に行くに従って前方に張り出した高い傾斜壁を形成している。これによって、肩口から挿入されるファスナーエレメントが強い横引き力によって当初は立ち上がった状態にある場合でも、傾斜壁によってスムーズに傾倒しながら、エレメント案内通路（１７）に進入することができ、最終的に下翼板（１３）に対して略平行な状態でエレメント案内通路（１７）を移動することができるようになる。
【００３８】
案内柱（２１）の上面には、一端が片持ち状に固定されて摺動方向に延在する門型の引手取付部（２３）が設けられている。図１中には示していないが、一端に環状部を有する引手（２５）を用意し、この環状部を介して引手を引手取付部（２３）に回動自在に取り付けることができる。図３には、点線で表した引手（２５）が引手取付部（２３）に取り付けられた様子が示されている。引手取付部（２３）の先端部を図３の矢印の方向に加締めることで、引手（２５）が引手取付部（２３）から容易に抜けなくなるようにすることができる。
【００３９】
本実施形態に係るスライダー（１０）は引手（２５）を除いて２部品で構成されており、それぞれの部品は金型を使用してダイキャスト成形又は射出成形によって製造可能である。２部品とすることによって、一体成形される従来のスライダーでは金型構造から受ける制約によって作製できない複雑な構造であっても作製可能となる。例えば、２部品としたことで第２フランジ（２２ａ）の形状の自由度が高まり、左右への張り出しの大きな第２フランジ（２２ａ）とすることができる。具体的には、スライダー（１０）の左右の中心線から第２フランジ（２２ａ）の左右の最外端までの距離は、スライダー（１０）の左右の中心線から側壁（１４ａ、１４ｂ）の後口側の内側面までの距離に対して０．８倍以上、好ましくは１．０倍以上とすることができる。このため、ファスナーエレメントを第２フランジ（２２ａ）で案内して一定の比較的弱い力で引き込むことができ、スライドファスナーの閉鎖時に強力な横引き力が加わっても、スライダー（１０）を円滑に摺動操作することができる。
【００４０】
図２は本実施形態に係るスライダー（１０）の分解斜視図である。本実施形態に係るスライダー（１０）は、下翼板（１３）、左右の側壁（１４ａ、１４ｂ）、及び左右の第１フランジ（１５ａ、１５ｂ）を有するスライダー胴部（１１）と、第２フランジ（２２ａ）を有し、当該スライダー胴部（１１）に係合されるスライダー上板部（１２）との２部品で構成されている。本実施形態では、前記案内柱（２１）及び前記引手取付部（２３）は前記スライダー上板部（１２）に設けられているが、これらは前記スライダー胴部（１１）及び前記スライダー上板部（１２）の何れに設けられていてもよい。
【００４１】
図２を参照すると、下翼板（１３）の肩口寄り左右中央部には、張り出し部（１６）が立設されており、一方、上板部（１２）には、案内柱（２１）の肩口側の端面及び第２フランジ（２２ａ）の肩口側の端面（２７）の左右中心部に広がる矩形状の開口部を有し、張り出し部（１６）の形状に合致した形状の溝部（２４）が設けられている。更に、上板部（１２）には、溝部（２４）の開口部の左右にある案内柱（２１）の左右の側壁の前端部から前方に向かって一対の脚部（２６）が突設されている。張り出し部（１６）と溝部（２４）を係合させた状態で固定することによって、スライダー胴部（１１）と上板部（１２）が合体する。両部品を係合する方法については、両部品が容易に分離しない限り特に問わないが、本実施形態においては、スライダー胴部（１１）と上板部（１２）は以下の方法で係合され、合体する。
【００４２】
張り出し部（１６）は、左右方向及び後口側に向かって延設された平面視略Ｔ字状の土台（１６ａ）と、土台（１６ａ）の形状に沿って土台上に立設され、土台（１６ａ）よりも細幅の平面視略Ｔ字状の起立部（１６ｂ）と、起立部（１６ｂ）上に立設され、起立部（１６ｂ）よりも太幅の左平面視略Ｔ字状のリブ（１６ｃ）とからなる。リブ（１６ｃ）の肩口側端面は、上板部（１２）との係合後に第２フランジ（２２ａ）の肩口側の端面（２７）と面―となるように、オーバーハングした傾斜面となっている。
【００４３】
一方、溝部（２４）は、張り出し部（１６）と係合できるように、張り出し部（１６）の形状に合致した内部構造を有しており、張り出し部（１６）の後方から前方に向かって溝部（２４）をスライドさせることで、溝部（２４）と張り出し部（１６）が係合する。その後、一対の脚部（２６）を溝部（２４）の開口部が封鎖されるように内側に向かって加締めることによって、張り出し部（１６）は、溝部（２４）に固定される。図３には、張り出し部（１６）と溝部（２４）の係合状態が示されている。
【００４４】
図１に戻ると、下翼板（１３）の前端面（１３ｃ）は左右の形状が相殺関係にある。具体的には、前端面（１３ｃ）は左右の側壁の前端部（１４ｃ、１４ｄ）と略同一面に形成された基面（１３ｄ）を有する。基面（１３ｄ）は、左右方向に沿って左右側壁同士を直線的に連結した平坦面を有している。前端面（１３ｃ）は、左右方向中心を境界とした左側半分に基面（１３ｄ）から前方に凸設された係止板（３１）と、反対側の右側半分に基面（１３ｄ）に凹設され、前記係止板（３１）の形状に合致した受容部（３２）とを有する。換言すれば、基面（１３ｄ）は、前記係止板（３１、６１ａ、６１ｂ、７１）及び受容部（３２、６２ａ、６２ｂ、７２）の境界を規定する。これにより、同一形状の二つのスライダー（１０）の頭部同士を当接させてファスナーを完全に閉じた状態の時に、スライダー（１０）の下翼板（１３）の前端面（１３ｃ）同士が密接し、上下方向への電磁波の通路が遮断される。
【００４５】
係止板（３１）は下翼板（１３）よりも薄く、係止板（３１）の上面は下翼板（１３）の上面よりも低い位置にあり、係止板（３１）の下面は下翼板（１３）の下面よりも高い位置にある。また、これに対応する受容部（３２）の上面は下翼板（１３）の上面よりも低く、受容部（３２）の下面は下翼板（１３）の下面よりも高い位置に形成されており、溝状となっている。その結果、下翼板（１３）の前端面（１３ｃ）が、相手方スライダーの下翼板の前端面と密接したときに、上下方向に重なりが生じる。そのため、スライドファスナーを閉鎖したときに二つのスライダーの前端面（１３ｃ）の基面（１３ｄ）同士がぴったり当接せずに両者に多少隙間が生じても、当該重なり部分が隙間を埋めて電磁波の通路を遮断することができる。更には、二つのスライダーの下翼板（１３）の前端面（１３ｃ）同士が密接しているときに前後方向や左右方向を軸とした捻りに対する抵抗力が高くなるので、電磁波シールド製品に捻りなどの作用が加わったときでもスライダー間に隙間が生じにくくなり、電磁波遮蔽効果も低下しにくくなる。また、係止板（３１）及び受容部（３２）の上面が下翼板（１３）の上面よりも低く形成されているので、係止板（３１）及び受容部（３２）がエレメント案内路に挿通されるエレンメントに接触しにくくなるので、スライダーの摺動の邪魔をしない。
【００４６】
係止板（３１）は前方に向かって次第に左右の幅が狭くなる略台形状である。これにより、向かい合うスライダー（１０）同士を接近させてファスナーを閉じていくときに、両者の位置が上下左右に微妙にずれていたとしても、係止板（３１）と受容部（３２）の嵌合が進展し、自然と正しい位置に修正されて密接状態が得られる。スムーズな嵌合動作を実現するために、係止板（３１）は面取りされていることが好ましい。
【００４７】
図４は、本実施形態に係るスライダー（１０）を備えた頭合わせ型の電磁波シールドファスナー（４０）において、ファスナーが一部開いている状態を上から見た図である。ファスナーテープ（４２）は一側縁に屈曲部（４３）を有しており、屈曲部（４３）に沿って複数のファスナーエレメント（４１）が取着されている。ファスナーテープ（４２）にファスナーエレメント（４１）の列が取着された状態のものをファスナーストリンガーという。本実施形態で使用されるファスナーテープ（４２）は導電性を有する素材がファスナーテープに含まれており、本実施例に使用されているファスナーストリンガーは、ＰＣＴ／ＪＰ２００９／０５９５８６号の実施例１に説明されているものとすることができる。ファスナーテープ（４２）の端縁は下方に隠れて見えていない。図中、二点鎖線で表されている箇所は、下方に隠れて存在していることを示している。また、点線で引手（２５）を示している。
【００４８】
同一形状をもつスライダー（１０）は頭部同士、すなわち肩口同士が向かい合うように一対のファスナーストリンガー間に挿通されている。スライダー（１０）同士を互いに接近していく方向に摺動するに従って、互いのファスナーエレメント（４１）が噛合されていき、二つのスライダー（１０）の頭部同士が当接するとファスナーが完全に閉じた状態となる。図５は、本実施形態に係るスライダー（１０）を備えた電磁波シールド隠しスライドファスナー（４０）において、ファスナーが完全に閉じている状態を上から見た図であり、図６はこの状態を下から見た図である。また、図７は図６のＡ−Ａ’線断面図であり、図８は図６のＢ−Ｂ’線断面図である。
【００４９】
図５及び図６を参照すると、ファスナーが完全に閉じた状態の時はファスナーエレメント（４１）の列が下方に隠れるため、上方からは見えないことが分かる。この時ファスナーテープの折曲部はエレメントの噛合脚部（４４）から突出する図示しない膨出部によって一方の折曲部と他方の折曲部との間に隙間ができないようになるのでエレメント噛合部分からの電磁波の漏洩を遮断している。図７及び図８を参照すると、二つのスライダー（１０）の頭部同士が当接しているとき、下翼板（１３）の前端面（１３ｃ）同士は密接していることが分かる。また、図８を参照すると、下翼板（１３）の前端面（１３ｃ）同士は、上下方向に重なりが生じていることが分かる。更に、図７から分かるように、左右の側壁（１４ａ、１４ｂ）の前端部（１４ｃ、１４ｄ）は前後方向に対して垂直であり、二つのスライダー（１０）の前端面（１３ｃ）の基面（１３ｄ）同士が当接しているとき、左右の側壁（１４ａ、１４ｂ）の前端部（１４ｃ、１４ｄ）同士も当接する。更に、図７から分かるように、第２フランジ（２２ａ）の肩口側の端面（２７）の最前端同士も密接する。このように、下翼板（１３）のみならず、スライダーの頭部の他の部分においても密接可能にすることで、電磁波遮蔽効果の更なる向上が期待できる。
【００５０】
ここで、本実施形態に係るスライダーの基面（１３ｄ）は、側壁の前端部（１４ｃ、１４ｄ）、第１フランジ（１５ａ、１５ｂ）の前端面及び第２フランジ（２２ａ）の前端面の内で最も前方に突出している箇所と同位置かそれよりも前方側に突出していることが好ましい。そのような構成とすることで、側壁の前端部（１４c、１４d）、第１フランジ及び第２フランジの前端面の形状にかかわらず、好適に下翼板（１３）の前端面（１３ｃ）同士を密接させることができる。本実施形態においては、スライダーの基面（１３ｄ）は側壁の前端部（１４ｃ、１４ｄ）、第１フランジ及び第２フランジの前端面は全て同位置に来るように形成されている。
【００５１】
左右の側壁（１４ａ、１４ｂ）の前端部（１４ｃ、１４ｄ）、第１フランジ（１５ａ、１５ｂ）の前端面、及び第２フランジ（２２ａ）の前端面は、下翼板（１３）の前端面（１３ｃ）と同様に、左右に相殺関係のある凹凸形状によって密接状態を達成してもよい。
【００５２】
また、向かい合う二つのスライダーが頭合わせで当接したときに、下翼板（１３）の前端面（１３ｃ）同士の密接を阻害しないように、側壁の前端部（１４ｃ、１４ｄ）、第１フランジ（１５ａ、１５ｂ）の前端面及び第２フランジ（２２ａ）の前端面の内の少なくとも一つがスライダー同士で嵌合する任意の形状にすることもできる。この場合は基面（１３ｄ）は必ずしも、側壁の前端部（１４ｃ、１４ｄ）、第１フランジ（１５ａ、１５ｂ）の前端面及び第２フランジ（２２ａ）の前端面の内で最も前方に突出している箇所と同位置かそれよりも前方側に突出している必要はない。
【００５３】
＜第２実施形態＞
次に、本発明の第２実施形態に係る電磁波シールドファスナー用スライダー（５０）について説明する。図９は、本実施形態に係るスライダー（５０）の斜視図である。第１実施形態と同一の構成要素については、同一の符号が付されており、その構造や機能は記述しているので、説明は省略する。以降の実施形態についても同様である。
【００５４】
第２実施形態が第１実施形態と異なる点は、下翼板（１３）の前端面（１３ｃ）の形状である。本実施形態では、下翼板（１３）の前端面（１３ｃ）が前後方向に対して垂直な平坦面となっている。本実施形態においては、前端面（１３ｃ）に凹凸は存在しない、すなわち基面（１３ｄ）のみからなるものの、下翼板（１３）の前端面（１３ｃ）は左右の形状が相殺関係にあり、同一形状の二つのスライダー（５０）の頭部同士を当接させてファスナーを完全に閉じた状態の時に、スライダー（５０）の下翼板（１３）の前端面（１３ｃ）同士が密接することができる。
【００５５】
左右の側壁（１４ａ、１４ｂ）の前端部（１４ｃ、１４ｄ）は、下翼板（１３）の前端面（１３ｃ）と同一平面上にあり、二つのスライダー（５０）の頭部同士が当接しているとき、左右の側壁（１４ａ、１４ｂ）の前端部（１４ｃ、１４ｄ）同士は密接することができる。
【００５６】
＜第３実施形態＞
次に、本発明の第３実施形態に係る電磁波シールドファスナー用スライダー（６０）について説明する。図１０は、本実施形態に係るスライダー（６０）の斜視図である。第３実施形態においても、第１実施形態と同様に、下翼板（１３）の前端面（１３ｃ）は左右の形状が相殺関係にあり、同一形状の二つのスライダー（６０）の頭部同士を当接させてファスナーを完全に閉じた状態の時に、スライダー（６０）の下翼板（１３）の前端面（１３ｃ）同士が密接することができる。但し、その具体的な形状が第１実施形態と異なるので以下に説明する。
【００５７】
本実施形態では、下翼板（１３）の前端面（１３ｃ）は、係止板（６１ａ、６１ｂ）及び受容部（６２ａ、６２ｂ）を段違いに２段有している。その結果、下翼板（１３）の前端面（１３ｃ）は、係止板及び受容部を２対有していることになる。具体的には、前端面（１３ｃ）の上側半分には、その左側半分に亘って前方に凸設された係止板（６１ａ）と、その右側半分に亘って後方に凹設され、前記係止板（６１ａ）の形状に合致した受容部（６２ａ）が形成されている。また、前端面（１３ｃ）の下側半分には、その右側半分に亘って前方に凸設された係止板（６１ｂ）と、その左側半分に亘って後方に凹設され、前記係止板（６１ｂ）の形状に合致した受容部（６２ｂ）が形成されている。上段の係止板（６１ａ）の上面は下翼板（１３）の上面と同一平面上にあり、下段の係止板（６１ｂ）の下面は下翼板（１３）の下面と同一平面上にある。
【００５８】
本実施形態においても、第１実施形態と同様に、下翼板（１３）の前端面（１３ｃ）が、相手方スライダーの下翼板（１３）の前端面（１３ｃ）と密接したときに、上下方向に重なりが生じるため、ファスナーを閉鎖したときに二つのスライダー（６０）の前端面（１３ｃ）同士がぴったり当接せずに両者に多少隙間が生じても、当該重なり部分が隙間を埋めて電磁波の通路を遮断することができる。
【００５９】
係止板（６１ａ、６１ｂ）は前方に向かって次第に左右の幅が狭くなる略台形状であるが、その利点は第１実施形態の説明したとおりである。左右の側壁（１４ａ、１４ｂ）の前端部（１４ｃ、１４ｄ）、及び、第２フランジ（２２ａ）の肩口側の端面（２７）の最前端は第１実施形態と同様に密接可能であり、その説明も第１実施形態で述べているので省略する。
【００６０】
＜第４実施形態＞
次に、本発明の第４実施形態に係る電磁波シールドファスナー用スライダー（７０）について説明する。図１１は、本実施形態に係るスライダー（７０）の斜視図である。第４実施形態においても、第１実施形態と同様に、下翼板（１３）の前端面（１３ｃ）は左右の形状は相殺関係にあり、同一形状の二つのスライダー（７０）の頭部同士を当接させてファスナーを完全に閉じた状態の時に、スライダー（７０）の下翼板（１３）の前端面（１３ｃ）同士が密接することができる。但し、その具体的な形状が第１実施形態と異なるので以下に説明する。
【００６１】
本実施形態では、下翼板（１３）の前端面（１３ｃ）は、係止板（７１）及び受容部（７２）を一対有している点で、第１実施形態と同様であるが、本実施形態では左側半分に亘って前方に凸設された係止板（７１）の上面は下翼板（１３）の上面と同一平面上にあり、係止板（７１）の下面は下翼板（１３）の下面と同一平面上にある。右側半分には係止板（７１）の形状に合致した受容部（７２）が後方に凹設されている。図１２は、本実施形態に係るスライダー（７０）について、向かい合う二つのスライダー（７０）が頭合わせで密接する様子を下方から見た図である。左側が密接前、右側が密接後を表している。
【００６２】
係止板（７１）は前方に向かって次第に左右の幅が狭くなる略台形状であるが、その利点は第１実施形態で説明したとおりである。左右の側壁（１４ａ、１４ｂ）の前端部（１４ｃ、１４ｄ）、及び、第２フランジ（２２ａ）の肩口側の端面（２７）の最前端は第１実施形態と同様に密接可能であり、その説明も第１実施形態で述べているので省略する。
【００６３】
以上、本発明を実施形態に基づいて説明してきたが、本発明は当該実施形態に限定されるものではなく、種々の改変が可能である。上記実施例においてはいずれも下翼板（１３）の前端面（１３ｃ）は左右の形状が相殺関係にあるスライダーに関するものであったが、それに限定されず、例えば第２実施形態において、一方のスライダーには基面（１３ｄ）から突出する係止板を設けると共に、他方のスライダーには前記係止板（３１）の形状に合致した受容部（３２）を設け、それらが密接することで電磁波をシールドする構成としても良い。
また、本発明は隠しスライドファスナーであるが、スライダーを外部から見えないようにして使用することを主たる目的としていくのではなく、対となるファスナーテープ同士を付き合わせることで電磁波を遮断させることを主たる目的として使用している。よって、必ずしも本発明のスライダーを外部から見えないように配置する必要はなく例えば、エレメントが露呈する面（ファスナーテープ裏面）を外側として使用することもできる。その際は、下翼板（１３）の下面に引手取付部を設けて引手を取り付けることが好ましい。なお、引手取付部についてはこれらに限定されるものではなく、任意の実用的な箇所に取り付けることができる。
【符号の説明】
【００６４】
１０、５０、６０、７０      電磁波シールドファスナー用スライダー
１１                        スライダー胴部
１２                        上板部
１３                        下翼板
１３ａ                      前端縁
１３ｂ                      後端縁
１３ｃ                      前端面
１３ｄ                      基面
１４ａ、１４ｂ              側壁
１４ｃ、１４ｄ              前端部
１５ａ、１５ｂ              第１フランジ（上翼板）
１５ｄ                      湾曲部
１５ｅ                      第１フランジの肉厚部
１６                        張り出し部
１６ａ                      土台
１６ｂ                      起立部
１６ｃ                      リブ
１７                        エレメント案内通路
２１                        案内柱
２２ａ                      第２フランジ
２２ｂ                      第２フランジの肉厚部
２３                        引手取付部
２４                        溝部
２５                        引手
２６                        脚部
２７                        第２フランジの肩口側の端面
３１、６１ａ、６１ｂ、７１  係止板
３２、６２ａ、６２ｂ、７２  受容部
４０                        電磁波シールドファスナー
４１                        ファスナーエレメント
４２                        ファスナーテープ
４３                        屈曲部
４４                        噛合脚部
４５                        噛合頭部
【図１】
2012070136.tif 000003
【図２】
2012070136.tif 000004
【図３】
2012070136.tif 000005
【図４】
2012070136.tif 000006
【図５】
2012070136.tif 000007
【図６】
2012070136.tif 000008
【図７】
2012070136.tif 000009
【図８】
2012070136.tif 000010
【図９】
2012070136.tif 000011
【図１０】
2012070136.tif 000012
【図１１】
2012070136.tif 000013
【図１２】
2012070136.tif 000014
【国際調査報告】
2012070136.tif 000015
2012070136.tif 000016
2012070136.tif 000017
2012070136.tif 000018